(57)【要約】【課題】電気掃除機において、塵埃の溜まった集塵袋およびこれを保持する集塵袋ケース等から構成される集塵部を集塵室から容易に取り出して、ごみ捨てを簡単に行なうこと。【解決手段】塵埃を捕集する集塵袋とこれを保持する集塵袋ケース４とを有する集塵部を、内部に着脱自在に配置する集塵室３と、集塵室３を覆う開閉自在な集塵室蓋５と、集塵室蓋５の開成動作に連動して集塵袋を保持した集塵袋ケース４を集塵室３より取り出すフック（引っ掛け部）１１とを備える電気掃除機とした。これにより、集塵室蓋５を開成する動作のみで、集塵袋を保持した集塵袋ケース４を、集塵袋に触れることなく集塵室３から取り出すことができ、ごみ捨てが容易になるものである。【選択図】図１
2006191945.tif 000002
【特許請求の範囲】
【請求項１】
掃除機本体へ吸引風を発する電動送風機と、塵埃を捕集する集塵部を内部に着脱自在に配置する集塵室と、前記集塵室を覆う開閉自在な集塵室蓋と、前記集塵室蓋の開成動作に連動して前記集塵部を前記集塵室より取り出す集塵部取出し手段とを備えた電気掃除機。
【請求項２】
集塵部は、集塵袋とこれを保持する集塵袋ケースとを備え、集塵部取出し手段は、前記集塵袋ケースを集塵室から取り出す構成とした請求項１に記載の電気掃除機。
【請求項３】
集塵部取出し手段は、その一端部分を集塵室蓋に取り付けされ、他端部分に、集塵室蓋の開成動作と連動して集塵袋ケースの適所に係合する引っ掛け部を設けた請求項２に記載の電気掃除機。
【請求項４】
集塵袋ケースにハンドル部を設け、引っ掛け部が前記ハンドル部に係合する請求項３に記載の電気掃除機。
【請求項５】
引っ掛け部は、ハンドル部の外面に係合する構成とした請求項４に記載の電気掃除機。
【請求項６】
引っ掛け部は、軸受と前記軸受へ回動自在に取り付けたフックを備え、前記フックの重心を回動の軸より前方へ位置させた請求項３〜５のいずれか１項に記載の電気掃除機。
【請求項７】
集塵室蓋の開成動作と連動して集塵室より取り出された集塵袋ケースの底面が、集塵室の壁面の最上端より下の位置で保持される請求項２〜６のいずれか１項に記載の電気掃除機。
【発明の詳細な説明】
【技術分野】
【０００１】
本発明は、集塵した塵埃を清潔かつ容易に廃棄することができる電気掃除機に関するものである。
【背景技術】
【０００２】
従来の電気掃除機で、特に吸い込んだゴミを一時的に溜める集塵部を、ゴミ捨てを容易にする目的で、掃除機内部に着脱可能に取り付けることができ、使い捨ての集塵袋を装着するカゴ状としたものがある。使用者はゴミ捨ての際、掃除機の集塵部を密閉している集塵室蓋を開け、カゴ状の集塵部を本体より取り外し、ゴミ箱付近まで運んでごみの入った集塵袋を捨てる（例えば、特許文献１参照）。
【０００３】
また、ゴミ捨てを容易にするため集塵袋の取り外しを容易にするため、掃除本体にバネを設けて、集塵室蓋をあけた際に集塵袋の一部を本体より外へ押し出す機能を持つものも見られる（例えば、特許文献２参照）。
【０００４】
図７は、特許文献１に開示された従来の電気掃除機の集塵室を表す斜視図であり、掃除機本体１０１には集塵部である取っ手１０３付きのカゴ１０４が取り付けられ、使用者がゴミを捨てる際は本体よりゴミの入ったカゴ１０４取り出すため、この取っ手１０３をつかんで集塵室１０２から持ち上げる構成となっている。
【０００５】
また図８は、特許文献２に開示された集塵室の別の従来例を示す電気掃除機の断面図であり、集塵室２０１内部の底面２０２に集塵袋を２０３上方へ押し出すバネＡ２０４と前方壁面２０５へは集塵袋２０３を後方へ押し出すバネＢ２０６を備えている。集塵室２０１を密閉する集塵室蓋２０７を開けると、これら２種のバネ２０４、２０６により集塵袋２０３は上方後へ押し出されて使用者は集塵室２０１より少し飛び出した集塵袋２０３を取り出すことになる。
【特許文献１】特開２００２−１１２９３５号公報
【特許文献２】特許第３１５４３１６号公報
【発明の開示】
【発明が解決しようとする課題】
【０００６】
しかしながら、上記従来の構成では、集塵袋を取り出す際、集塵室蓋を開ける動作の後、さらに狭い集塵室へ手を入れて籠を取り出さねばならず手間がかかる。さらにカゴ後方が完全に開放されているため、集塵袋がいっぱいに膨らんだ場合には集塵室壁面と集塵袋の間に摩擦抵抗力が生じ、それに逆らって取っ手を引き出さねばならず取り出し難く、ごみ捨てが面倒である。また、上記従来の別の構成では、集塵袋の一部のみしか集塵部の外に押し出されず、同様に集塵袋が集塵室いっぱいに膨らんだ場合には、集塵室より完全に集塵袋を取り出すための引っ張り力が必要となり、さらに抵抗力が大きい場合にはバネの付勢力が十分に機能しない可能性もある上、集塵袋をセットする際にはそのバネの付勢力に逆らって集塵袋を取り付けなければならず不便である。
【課題を解決するための手段】
【０００７】
本発明の電気掃除機は前記従来の課題を解決するもので、掃除機本体へ吸引風を発する電動送風機と、塵埃を捕集する集塵部を内部に着脱自在に配置する集塵室と、前記集塵室を覆う開閉自在な集塵室蓋と、前記集塵室蓋の開成動作に連動して前記集塵部を前記集塵室より取り出す集塵部取出し手段とを備える構成としたもので、集塵室蓋の開成動作と連動して集塵部が集塵室より取り出されるため、従来のように集塵室蓋を開け、狭い集塵室へ手を入れてごみを取り出す必要がなく、集塵室蓋を開けるだけの動作で塵埃の溜まった集塵部を集塵室より取り出すことができ、ごみ捨てが容易となる。また、集塵室蓋をあけたままの状態で集塵室蓋ヘ集塵部をセットできるので、集塵部は集塵室蓋を閉める際にも連動して収納され、集塵室に格納しやすく、ごみ捨てがさらに容易になる。
【発明の効果】
【０００８】
本発明によれば、集塵した塵埃を清潔かつ容易に廃棄することができ、電気掃除機の使用勝手が向上する。
【発明を実施するための最良の形態】
【０００９】
第１の発明の電気掃除機は、掃除機本体へ吸引風を発する電動送風機と、塵埃を捕集する集塵部を内部に着脱自在に配置する集塵室と、前記集塵室を覆う開閉自在な集塵室蓋と、前記集塵室蓋の開成動作に連動して前記集塵部を前記集塵室より取り出す集塵部取出し手段とを備える構成としたもので、集塵室蓋の開動作と連動して集塵部が集塵室より取り出されるため、従来のように集塵室蓋をあけて、狭い集塵室へ手を入れて塵埃を取り出す必要がなく、集塵室蓋をあけるだけの動作で、塵埃の溜まった集塵部を取り出すことができ、ゴミ捨てが容易となる。また集塵部は集塵室蓋を閉める際にも連動して収納されるので、集塵部が集塵室蓋を開けたままセットでき、集塵室へ格納しやすい。
【００１０】
第２の発明の電気掃除機は、第１の発明の集塵部が、集塵袋とこれを保持する集塵袋ケースとを備え、集塵部取出し手段は、前記集塵袋ケースを集塵室から取り出す構成としたもので、集塵部を集塵室から引き出す際には、直接集塵袋に触れる必要がなく、集塵袋を保持した集塵袋ケースを引き出すだけでよく、引き出し時の取扱いが清潔で、且つ容易になるものである。
【００１１】
第３の発明の電気掃除機は、第２の発明の集塵部取出し手段は、その一端部分を集塵室蓋に取り付けされ、他端部分に、集塵室蓋の開成動作と連動して集塵袋ケースの適所に係合する引っ掛け部を設けたもので、塵埃を吸引し過ぎた場合にも、集塵袋の膨れを規制することができる、集塵室から集塵袋を取り出す際の力すなわち集塵室蓋を力が軽減され、さらに集塵袋は集塵袋ケースに覆われているため、使用者は集塵袋を直接触ることなく清潔にゴミを捨てることができる。
【００１２】
第４の発明の電気掃除機は、第３の発明の集塵袋ケースにハンドル部を設け、引っ掛け部が前記ハンドル部に係合する構成としたもので、ハンドルにより、塵埃を吸い込みすぎた際の集塵袋の膨れを上方においても規制することができ、また集塵袋ケースが持ち運びやすくなるため、さらにゴミ捨てが容易になる。
【００１３】
第５の発明の電気掃除機は、第４の発明の引っ掛け部が、ハンドル部の外面に係合する構成としたもので、集塵袋が膨張した際に引っ掛け部が被掛り部へ係合するための移動スペースが必要なく集塵容積を大きく保つことができ、さらに引っ掛け部が膨張した集塵袋へ触れることがなく、集塵袋の損傷も防ぐことができる。
【００１４】
第６の発明の電気掃除機は、第３〜第５のいずれか１つの発明の引っ掛け部が、軸受と前記軸受へ回動自在に取り付けたフックを備え、前記フックの重心を回動の軸より前方へ位置させたもので、集塵室蓋を開けた際にもフックの回動位置が自動的に初期位置へ戻り、ゴミ捨ての後に集塵袋ケースを引っ掛け部へ取り付けやすい。さらにフックは回動自在に設けられているため、集塵袋ケースを集塵室に収納した後に集塵室蓋を閉めても、あるいは、集塵室蓋に取り付けてから集塵室蓋を閉めてもよく、再度集塵室蓋を開けたときには、再び集塵袋ケースが集塵室蓋の動きに連動して集塵室より持ち上がるため、使い勝手がよくなる。
【００１５】
第７の発明の電気掃除機は、第３〜第５のいずれか１つの発明の集塵室蓋の開成動作と連動して集塵室より取り出された集塵袋ケースの底面が、集塵室の壁面の最上端より下の位置で保持されるもので、確実に集塵袋ケースが集塵室へ誘導されるため、集塵袋ケースを集塵室蓋を開けた状態で引っ掛け部へ取り付けて集塵室へ収納する場合など、再収納がより確実となる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電気掃除機本体１の斜視図である。掃除機本体１へは後部に吸引風を発する電動送風機２を、またその前方には塵埃を捕集する集塵室３を設けている。集塵室３の内部には捕集した塵埃を一時的に溜めるための集塵部を設けている。本実施の形態において、前記集塵部は、使い捨ての集塵袋１３と、これをセットできる集塵袋ケース４とを備えている。また、集塵室３上部へは集塵部を密閉するための集塵室蓋５を回動自在に配設し、集塵室３より集塵袋ケース４を取り出してゴミを捨てるために開閉できるよう構成している。さらに図１に示すように、この集塵室蓋５へは軸受１０を固定しており、この軸受１０へは引っ掛け部として本体１前方へ湾曲する、つり針状のフック１１を、前方へは回動自在に、後方へは軸受１０の壁面１２によって回動を制限されるように左右に２つ設けている。
【００１８】
図２は集塵袋ケース４の斜視図である。集塵袋ケース４へは使い捨ての集塵袋１３の装着部１４と持ち運び用および集塵袋１３の膨らみ過ぎを制限するハンドル部１５を設けており、ハンドル部１５の外面２０へは被引っ掛け部として断面略円形の突出棒１６を設けている。
【００１９】
図３は本体１の正面図であるが、突出棒１６は集塵室３へ集塵袋ケース４をセットした場合、フック１１が集塵室蓋５の回動により辿る軌跡１７上に配置している。更にフック１１は、図４に示すように集塵室蓋５を閉めた際、回動軸１８を中心として前方へ回動して突出棒１６を避け、集塵室３に干渉せずに所定位置へもどるような回動軸１８を中心とする円弧内に収まる寸法となっている。
【００２０】
以上のように構成された電気掃除機について、以下、その動作、作用を説明する。
【００２１】
通常掃除機に吸引されたゴミは集塵部に溜められるが、そのゴミによって吸引力が落ちてきたり、集塵袋１３がいっぱいになったりした場合には、集塵室蓋５開け集塵室３より集塵袋ケース４を取り出してゴミの入った集塵袋１３を捨てる。集塵袋１３は集塵袋ケース４に覆われているため、集塵袋１３が集塵室３いっぱいに広がらず、集塵室３より集塵袋１３を取り出す際の抵抗力が生じるのを防ぐことができるうえ、集塵袋１３に触れることなくゴミを捨てることができ、使用者の手を汚さない。
【００２２】
図４に示すように集塵室蓋５にはフック１１を配設しており、集塵袋ケース４には突出棒１６を所定の位置に設けたことにより、集塵室蓋５を開ける方向へ回動する際にはフック１１は軸受１０壁面１２により回動を規制されて所定の角度を保ったまま回動するので突出棒１６を誘い、これにより集塵袋ケース４は集塵室蓋５の回動に伴って持ち上げられて集塵袋ケース４が集塵室３より開放される。従ってゴミを捨てる際に狭い集塵部へ手を入れて集塵袋１３を取り出す必要がなく、集塵室蓋５を開く一動作のみで集塵室３より集塵袋ケース４および集塵袋ケース４に保持された集塵袋１３を取り出すことができ、ゴミ捨てが容易に行える。本実施の形態ではフック１１は左右に２つであるが、たとえば中央に１つ設けてハンドル部１５の中央を引っ掛けてもよいし（図示せず）、３つ以上引っ掛け部を設けて集塵部の引っ掛け部による支持をさらに確実にするといったことも可能である。
【００２３】
また、図１に示すように、突出棒１６がエアータイト部１９付近に位置していることにより、集塵室蓋５の回動が左右にぶれた場合でも、フック１１が突出棒１６を引っ掛けられないといったことを防ぐことができる。また、図１のように、被引っ掛け部は突出棒１６であり、形状が単純であるため生産しやすく、機械的強度の調節も行いやすい。さらに図１に示すように、突出棒１６はハンドル部１５の外面２０に設けているため、フック１１が膨らんだ集塵袋１３に干渉したりすることがなく、機能を損なわないうえ、フック１１移動のためのスペースを集塵室３内に取る必要がなく、集塵容積も確保できる。この突出棒１６は断面略三角形、略四角形などでもよいが特に図４に示すように断面略円形とすることで、フック１１から前方に引っ張って取り外す際、非係りが少なく、スムーズに集塵袋ケース４を着脱できる。
【００２４】
更に、図５に示すように、突出棒１６の両端にリブを設けて断面略Ｌ字状とすれば、左右の位置規制が可能となり、集塵室蓋５を開けている際に集塵袋ケース４が脱落するといった危険がない。さらに、集塵袋１３は集塵袋ケース４へ装着した後、再びフック１１へ集塵袋ケース４を取り付ければ、容易に集塵袋ケース４を本体１へセットすることができる。
【００２５】
また、図４に示すようにフック１１は前方へは回動自在に軸受１０に設けられているため、ごみ捨て後、集塵袋１３を本体１へセットして集塵室蓋５を閉める際にはフック１１が突出棒１６に押されて回動することで突出棒１６を避け、所定位置へ戻るため、次回も集塵室蓋５の回動に連動して集塵袋ケース４を集塵室３より開放することができる。
【００２６】
さらに図３に示すようにフックの回動軸１８より先端にフックの重心２１を設ければ自然にフック１１は後方か移動可能位置つまり軸受１０の壁面１２にあたるまで重力により戻り、ごみ捨て後、集塵袋ケース４の突出棒１６をフック１１に取り付けて集塵室蓋５を閉めることで、集塵袋ケース４を集塵室３へ戻すことができ、さらに使い勝手がよい。この場合、図３に示すように、集塵室蓋５を開けた場合に集塵袋ケース４の底面２２を集塵室壁面上端２３よりも低くなるように設定していればさらに再収納が容易となる。
【００２７】
（実施の形態２）
図６は第２の実施の形態を示す電気掃除機の集塵室３の断面図である。本実施の形態は、図６のように集塵部は集塵袋１３そのものである。この場合においても、集塵室蓋５に取り付けられたフック１１は集塵袋１３の口芯や袋部等に設けた被引っ掛け部などに掛り、集塵室蓋５の回動に連動して集塵袋１３を集塵室３より出し入れすることができ、ごみ捨てが容易になる。
【産業上の利用可能性】
【００２８】
以上のように、本発明にかかる電気掃除機は、集塵室蓋の開成動作と連動して、集塵袋とこれを保持する集塵袋ケース等の集塵部を集塵室から取り出すことができ、集塵部を取り出し易くし、ごみ捨てを容易にするものである。
【図面の簡単な説明】
【００２９】
【図１】第１の実施の形態における電気掃除機の斜視図
【図２】第１の実施の形態における集塵部の斜視図
【図３】第１の実施の形態における電気掃除機の正面図
【図４】第１の実施の形態における電気掃除機の集塵室の断面図
【図５】第１の実施の形態における集塵部の他の例の斜視図
【図６】第２の実施の形態における電気掃除機の斜視図
【図７】従来の電気掃除機の集塵室まわりを示す斜視図
【図８】従来の他の電気掃除機の集塵室まわりを示す断面図
【符号の説明】
【００３０】
１  本体
２  電動送風機
３  集塵室
４  集塵袋ケース（集塵部）
５  集塵室蓋
１０  軸受
１１  フック（引っ掛け部）
１２  壁面
１３  集塵袋（集塵部）
１４  装着部
１５  ハンドル部
１６  突出棒（被引っ掛け部）
１７  フック（引っ掛け部）の軌跡
１８  回動軸
１９  エアータイト部
２０  外面
２１  重心
２２  底面
２３  集塵室壁面上端
１０１  掃除機本体
１０２  集塵室
１０３  取っ手
１０４  カゴ
２００  掃除機本体
２０１  集塵室
２０２  底面
２０３  集塵袋
２０４  バネＡ
２０５  前方壁面
２０６  バネＢ
２０７  集塵室蓋
【図１】
2006191945.tif 000003
【図２】
2006191945.tif 000004
【図３】
2006191945.tif 000005
【図４】
2006191945.tif 000006
【図５】
2006191945.tif 000007
【図６】
2006191945.tif 000008
【図７】
2006191945.tif 000009
【図８】
2006191945.tif 000010